(57)【要約】【課題】利用者が所有する買い物袋による万引きを防止する。【解決手段】万引き防止システム１において、電子ペーパ３とＩＣチップ４は、買い物袋２に付され、電子ペーパ３の表示面が透明なときに買い物袋２の中が視認できる。電子ペーパ３は、ＩＣチップ４から受信したデータを表示する。ＩＣチップ４は、リーダライタ５と６、レジ７からの命令やデータにより電子ペーパ３の画像の消去や表示を行う。リーダライタ５は、入口ゲートＧＴ１を通過する買い物袋２のＩＣチップ４に電子ペーパ３の画像消去命令を送信する。リーダライタ６は、出口ゲートＧＴ２を通過する買い物袋２のＩＣチップ４に電子ペーパ３の画像表示命令を送信する。レジ７は、その前を通過する買い物袋２のＩＣチップ４に店の画像情報を送信する。管理サーバ８は、リーダライタ５と６、レジ７から顧客ＩＤを受信し、通過履歴を管理し、それらに画像消去・表示命令や店の画像情報を送信する。【選択図】図１
2011191929.tif 000002
【特許請求の範囲】
【請求項１】
買い物袋の少なくとも一部を構成し、透明になると当該買い物袋の中が外部から視認可能となる電子ペーパと、
店舗の入口を通過する前記電子ペーパを透明にする無線信号を送信する第１無線装置と、
を備えることを特徴とする万引き防止システム。
【請求項２】
請求項１に記載の万引き防止システムであって、
前記電子ペーパは、画像を表示すると前記買い物袋の中が外部から視認できないようになっており、
前記店舗の出口を通過する前記電子ペーパに画像を表示させる無線信号を送信する第２無線装置をさらに備える
ことを特徴とする万引き防止システム。
【請求項３】
請求項２に記載の万引き防止システムであって、
前記買い物袋に付され、顧客に固有の顧客ＩＤを記憶するＩＣチップと、
レジを通過する前記電子ペーパと通信する第３無線装置と、
前記第３無線装置から前記レジを通過した前記買い物袋に付された前記ＩＣチップの顧客ＩＤを取得した場合に、当該顧客ＩＤと、前記顧客が前記レジを通過したことを示すレジ通過情報とを対応付けて記憶し、
前記第２無線装置から前記店舗の出口を通過した前記買い物袋に付された前記ＩＣチップの顧客ＩＤを取得した場合に、当該顧客ＩＤに対応付けて前記レジ通過情報が記憶されていないときに、万引きの可能性を示す警報信号を出力する
サーバと、
をさらに備えることを特徴とする万引き防止システム。
【請求項４】
請求項２に記載の万引き防止システムであって、
前記買い物袋に付され、外部から受信したデータを記憶するＩＣチップと、
前記レジを通過した前記買い物袋に付された前記ＩＣチップに、前記顧客が前記レジを通過したことを示すレジ通過情報を送信する第３無線装置と、
をさらに備え、
前記第２無線装置は、前記店舗の出口を通過した前記買い物袋に付された前記ＩＣチップに前記レジ通過情報が記憶されていないときに、万引きの可能性を示す警報信号を出力する
ことを特徴とする万引き防止システム。
【請求項５】
請求項１又は請求項２に記載の万引き防止システムであって、
前記買い物袋に付され、外部から受信したデータを記憶するＩＣチップをさらに備え、
前記電子ペーパは、透明になった場合に、その旨を示す無線信号を前記第１無線装置に送信し、
前記第１無線装置は、前記電子ペーパから透明になった旨を示す無線信号を受信したときに、当該買い物袋の顧客へのインセンティブを示す情報を前記ＩＣチップに送信する
ことを特徴とする万引き防止システム。
【請求項６】
請求項２に記載の万引き防止システムであって、
前記買い物袋に付され、画像を記憶するＩＣチップをさらに備え、
前記第２無線装置が前記電子ペーパに表示させる画像は、前記ＩＣチップに記憶された画像である
ことを特徴とする万引き防止システム。
【請求項７】
請求項２に記載の万引き防止システムであって、
前記買い物袋に付され、画像を受信し、記憶するＩＣチップをさらに備え、
前記第２無線装置が前記電子ペーパに表示させる画像は、前記第３無線装置から送信され、前記ＩＣチップに記憶された画像である
ことを特徴とする万引き防止システム。
【請求項８】
少なくとも一部が電子ペーパにより構成された買い物袋であって、
前記電子ペーパは、外部から透明化すべき旨の無線信号を受信すると透明になり、
前記電子ペーパが透明になると、当該買い物袋の中が外部から視認可能となるように構成される
ことを特徴とする買い物袋。
【請求項９】
請求項８に記載の買い物袋であって、
前記電子ペーパは、外部から画像を表示すべき旨の無線信号を受信すると画像を表示し、
前記電子ペーパが画像を表示すると、当該買い物袋の中が外部から視認できないように構成される
ことを特徴とする買い物袋。
【請求項１０】
請求項９に記載の買い物袋であって、
画像を記憶するＩＣチップをさらに備え、
前記電子ペーパは、前記画像を表示すべき旨の無線信号を受信すると、前記ＩＣチップに記憶された画像を表示する
ことを特徴とする買い物袋。
【発明の詳細な説明】
【技術分野】
【０００１】
本発明は、電子ペーパ付き買い物袋及びそれを用いた万引き防止システムに関する。
【背景技術】
【０００２】
昨今、地球環境保護の一環として、レジ袋の無料配布をやめる店が多くなっている。それに伴って、自前の買い物袋（マイバッグ）を持参する人が増えている。
【先行技術文献】
【特許文献】
【０００３】
【特許文献１】特開２００８−２６９１４４号公報
【発明の概要】
【発明が解決しようとする課題】
【０００４】
ところが、買い物客がマイバックを店に持ち込むことにより、万引き犯罪が増えることが懸念されている（例えば、平成２１年１０月２３日の中国新聞２３面に掲載された記事）。  
なお、特許文献１には、電子ペーパを用いてリアルタイムに情報を掲示可能な掲示板提供システムが開示されているが、買い物袋に電子ペーパを取り付けて万引きを防止するものではない。  
本発明は、上記課題を鑑みてなされたものであり、その主たる目的は、利用者が所有する買い物袋による万引きを防止することにある。
【課題を解決するための手段】
【０００５】
上記課題を解決するために、本発明は、万引き防止システムであって、買い物袋の少なくとも一部を構成し、透明になると当該買い物袋の中が外部から視認可能となる電子ペーパと、店舗の入口を通過する前記電子ペーパを透明にする無線信号を送信する第１無線装置と、を備えることを特徴とする。  
この構成によれば、店舗の入口で電子ペーパが透明になり、店内では買い物袋の中が見えるので、買い物袋による万引きを防止することができる。
【０００６】
また、本発明は、上記万引き防止システムにおいて、前記電子ペーパが、画像を表示すると前記買い物袋の中が外部から視認できないようになっており、前記店舗の出口を通過する前記電子ペーパに画像を表示させる無線信号を送信する第２無線装置をさらに備えることとしてもよい。  
この構成によれば、店舗の出口で電子ペーパに画像が表示され、店外で他人に買い物袋の中身を見られるのを防止することができる。
【０００７】
また、本発明は、上記万引き防止システムにおいて、前記買い物袋に付され、顧客に固有の顧客ＩＤを記憶するＩＣチップと、レジを通過する前記電子ペーパと通信する第３無線装置と、前記第３無線装置から前記レジを通過した前記買い物袋に付された前記ＩＣチップの顧客ＩＤを取得した場合に、当該顧客ＩＤと、前記顧客が前記レジを通過したことを示すレジ通過情報とを対応付けて記憶し、前記第２無線装置から前記店舗の出口を通過した前記買い物袋に付された前記ＩＣチップの顧客ＩＤを取得した場合に、当該顧客ＩＤに対応付けて前記レジ通過情報が記憶されていないときに、万引きの可能性を示す警報信号を出力するサーバと、をさらに備えることとしてもよい。  
この構成によれば、店内に入った後、レジを通らずに店外へ出ようとする買い物客に対して、万引きの可能性を指摘し、警報を出すことができる。
【０００８】
また、本発明は、上記万引き防止システムにおいて、前記買い物袋に付され、外部から受信したデータを記憶するＩＣチップと、前記レジを通過した前記買い物袋に付された前記ＩＣチップに、前記顧客が前記レジを通過したことを示すレジ通過情報を送信する第３無線装置と、をさらに備え、前記第２無線装置が、前記店舗の出口を通過した前記買い物袋に付された前記ＩＣチップに前記レジ通過情報が記憶されていないときに、万引きの可能性を示す警報信号を出力することとしてもよい。  
この構成によれば、サーバを設けることなく、店内に入った後、レジを通らずに店外へ出ようとする買い物客に対して、万引きの可能性を指摘し、警報を出すことができる。
【０００９】
また、本発明は、上記万引き防止システムにおいて、前記買い物袋に付され、外部から受信したデータを記憶するＩＣチップをさらに備え、前記電子ペーパが、透明になった場合に、その旨を示す無線信号を前記第１無線装置に送信し、前記第１無線装置が、前記電子ペーパから透明になった旨を示す無線信号を受信したときに、当該買い物袋の顧客へのインセンティブを示す情報を前記ＩＣチップに送信することとしてもよい。  
この構成によれば、買い物袋の透明化、すなわち、買い物袋による万引きの防止に協力してくれた顧客に対してインセンティブを付与することができ、さらなる協力を取り付けることができる。
【００１０】
また、本発明は、上記万引き防止システムにおいて、前記買い物袋に付され、画像を記憶するＩＣチップをさらに備え、前記第２無線装置が前記電子ペーパに表示させる画像は、前記ＩＣチップに記憶された画像であることとしてもよい。
【００１１】
また、本発明は、上記万引き防止システムにおいて、前記買い物袋に付され、画像を受信し、記憶するＩＣチップをさらに備え、前記第２無線装置が前記電子ペーパに表示させる画像は、前記第３無線装置から送信され、前記ＩＣチップに記憶された画像であることとしてもよい。
【００１２】
また、本発明は、少なくとも一部が電子ペーパにより構成された買い物袋であって、前記電子ペーパが、外部から透明化すべき旨の無線信号を受信すると透明になり、前記電子ペーパが透明になると、当該買い物袋の中が外部から視認可能となるように構成されることを特徴とする。  
この構成によれば、店舗の入口で電子ペーパを透明にすることにより、店内では買い物袋の中が見えるようになるので、買い物袋による万引きを防止することができる。
【００１３】
また、本発明は、上記買い物袋において、前記電子ペーパが、外部から画像を表示すべき旨の無線信号を受信すると画像を表示し、前記電子ペーパが画像を表示すると、当該買い物袋の中が外部から視認できないように構成されることとしてもよい。  
この構成によれば、店舗の出口で電子ペーパに画像を表示することにより、店外で他人に買い物袋の中身を見られるのを防止することができる。
【００１４】
また、本発明は、上記買い物袋において、画像を記憶するＩＣチップをさらに備え、前記電子ペーパが、前記画像を表示すべき旨の無線信号を受信すると、前記ＩＣチップに記憶された画像を表示することとしてもよい。
【００１５】
その他、本願が開示する課題及びその解決方法は、発明を実施するための形態の欄、及び図面により明らかにされる。
【発明の効果】
【００１６】
本発明によれば、利用者が所有する買い物袋による万引きを防止することができる。
【図面の簡単な説明】
【００１７】
【図１】万引き防止システム１の構成を示す図である。
【図２】電子ペーパ３のハードウェア構成を示す図である。
【図３】ＩＣチップ４のハードウェア構成を示す図である。
【図４】管理サーバ８のハードウェア構成を示す図である。
【図５】ＩＣチップ４の記憶部４４に記憶されるデータの構成を示す図であり、（ａ）は顧客情報４４Ａの構成を示し、（ｂ）は店画像情報４４Ｂの構成を示し、（ｃ）はマイ画像情報４４Ｃの構成を示し、（ｄ）はポイント情報４４Ｄの構成を示す。
【図６】管理サーバ８の記憶部８５に記憶されるデータの構成を示す図であり、（ａ）は顧客通過情報８５Ａの構成を示し、（ｂ）は店画像情報８５Ｂの構成を示す。
【図７】買い物客が入口ゲートＧＴ１を通過する時の万引き防止システム１の処理を示す図である。
【図８】買い物客がレジ７を通過する時の万引き防止システム１の処理を示す図である。
【図９】買い物客が出口ゲートＧＴ２を通過する時の万引き防止システム１の処理を示す図である。
【発明を実施するための形態】
【００１８】
以下、図面を参照しながら、本発明を実施するための形態を説明する。本発明の実施の形態に係る万引き防止システムは、顧客が電子ペーパ付きの買い物袋を持って、来店したときに、電子ペーパを透明化して買い物袋の中身が見えるようにするとともに、レジでの精算を行った後、店から退場するときに、買い物袋の中身が見えないように店のＰＲ画像や顧客の好みの画像を電子ペーパに表示する。これによれば、店内では買い物袋の中身が見えるので、万引きを防止することができ、店外では他人により買い物袋の中身が見られるのを防止することができる。
【００１９】
＜＜第１の実施の形態＞＞
第１の実施の形態は、管理サーバ８を用いて万引き防止システム１を実現するものである。
【００２０】
≪システムの構成と概要≫
図１は、万引き防止システム１の構成を示す図である。万引き防止システム１は、電子ペーパ３、ＩＣチップ４、リーダライタ５及び６、レジ７及び管理サーバ８を備える。電子ペーパ３は、ＩＣチップ４から受信したデータを表示する媒体であり、買い物客が所持する買い物袋２の少なくとも一部を構成し、電子ペーパ３の表示面が透明又は半透明になったときに外部から買い物袋２の中が視認可能なように設けられる。なお、電子ペーパ３は、買い物袋２の片面だけに設けられるとその中が視認できないことがあり得るので、買い物袋２の両面に設けられるのが望ましい。ＩＣチップ４は、買い物袋２に付され、リーダライタ５及び６、レジ７から無線通信により受信した命令やデータに基づいて、電子ペーパ３に対する画像の消去や表示、ポイントの記憶等の処理を行う。リーダライタ５は、入口ゲートＧＴ１に設置され、入口ゲートＧＴ１を通過する買い物袋２のＩＣチップ４に対して、無線通信により電子ペーパ３の画像消去命令やポイント情報を送信する。リーダライタ６は、出口ゲートＧＴ２に設置され、出口ゲートＧＴ２を通過する買い物袋２のＩＣチップ４に対して、無線通信により電子ペーパ３の画像表示命令やポイント情報を送信する。レジ７は、店内に設置され、レジ７の前を通過する買い物袋２のＩＣチップ４に対して、無線通信により店の画像情報を送信する。管理サーバ８は、無線又は有線の通信によりリーダライタ５及び６、レジ７から顧客ＩＤを受信し、それらに対して命令やデータを送信する。
【００２１】
買い物客は、買い物袋２を所持しながら、入口ゲートＧＴ１を通過して店内に入り、必要な商品を店内専用のかごに入れて、レジ７で精算する。その後、精算した商品を店内専用のかごから買い物袋２に移して、出口ゲートＧＴ２を通過して店外に出る。そして、入口ゲートＧＴ１を通過するときに、買い物袋２の電子ペーパ３に表示された画像が消去され、出口ゲートＧＴ２を通過するときに、買い物袋２の電子ペーパ３に画像が表示される。これにより、店内では買い物袋２の中が外部から視認できるので、万引きを防止することができる。また、店外では買い物袋２に画像を表示して、その中が視認できないようにするので、他人に買い物袋２の中身を見られるのを防止することができる。
【００２２】
図２は、電子ペーパ３のハードウェア構成を示す図である。電子ペーパ３は、紙と同様に薄く、柔軟性を有するシート状の電子的な表示媒体であり、受信部３１及び表示部３２を備える。受信部３１は、無線や赤外線による通信で外部（ＩＣチップ４等）からデータを受信し、受信したデータを表示部３２に表示させる。表示部３２は、受信部３１が受信したデータを表示し、データの表示を電源なしで保持するものであり、青・緑・赤の３色の液晶を３層に重ねてフルカラー表示しており、ドライバの位置を液晶シートごとに変えて重なりを減らすことにより、紙と同様の厚みを実現している。なお、電子ペーパ３は、表示部３２が外部から視認可能なように、かつ、表示部３２が透明又は半透明になったときに外部から買い物袋２の中が視認可能なように買い物袋２に付される。
【００２３】
図３は、ＩＣチップ４のハードウェア構成を示す図である。ＩＣチップ４は、通信部４１、電子ペーパ送信部４２、処理部４３及び記憶部４４を備え、各部がバス４５を介してデータを送受信可能なように接続されている。通信部４１は、リーダライタ５及び６、レジ７と無線ＩＰ（Internet Protocol）通信等を行う部分であり、例えば、アンテナやＮＩＣ（Network Interface Card）等によって実現される。電子ペーパ送信部４２は、電子ペーパ３と無線又は赤外線の通信を行う部分である。処理部４３は、所定のメモリを介して各部間のデータの受け渡しを行うととともに、ＩＣチップ４全体の制御を行うものであり、ＣＰＵ（Central Processing Unit）が所定のメモリに格納されたプログラムを実行することによって実現される。記憶部４４は、処理部４３からデータを記憶したり、記憶したデータを読み出したりするものであり、不揮発性メモリによって実現される。
【００２４】
図４は、管理サーバ８のハードウェア構成を示す図である。管理サーバ８は、通信部８１、表示部８２、入力部８３、処理部８４及び記憶部８５を備え、各部がバス８６を介してデータを送受信可能なように接続されている。通信部８１は、リーダライタ５及び６、レジ７と無線又は有線によるＩＰ通信等を行う部分であり、例えば、アンテナやＮＩＣ等によって実現される。表示部８２は、処理部８４からの指示によりデータを表示する部分であり、例えば、液晶ディスプレイ（ＬＣＤ：Liquid Crystal Display）等によって実現される。入力部８３は、オペレータがデータ（例えば、店画像ＩＤのデータ）を入力する部分であり、例えば、キーボードやマウス等によって実現される。処理部８４は、所定のメモリを介して各部間のデータの受け渡しを行うととともに、管理サーバ８全体の制御を行うものであり、ＣＰＵが所定のメモリに格納されたプログラムを実行することによって実現される。記憶部８５は、処理部８４からデータを記憶したり、記憶したデータを読み出したりするものであり、例えば、ＨＤＤ（Hard Disk Drive）やＳＳＤ（Solid State Drive）等の不揮発性記憶装置によって実現される。
【００２５】
なお、リーダライタ５及び６、レジ７は、管理サーバ８と同様に、通信部、処理部及び記憶部を備えるものとする。
【００２６】
≪データの構成≫
図５は、ＩＣチップ４の記憶部４４に記憶されるデータの構成を示す図である。図５（ａ）は、顧客情報４４Ａの構成を示す。顧客情報４４Ａは、当該ＩＣチップ４の買い物袋２を所持する買い物客に関する情報であり、顧客ＩＤ４４Ａ１、入口ゲート通過フラグ４４Ａ２及びレジ通過フラグ４４Ａ３を含む。顧客ＩＤ４４Ａ１は、当該買い物客に固有のＩＤである。入口ゲート通過フラグ４４Ａ２は、当該買い物客が入口ゲートＧＴ１を通過したことを示すフラグである。レジ通過フラグ４４Ａ３は、当該買い物客がレジ７を通過したことを示すフラグである。なお、入口ゲート通過フラグ４４Ａ２及びレジ通過フラグ４４Ａ３は、第２の実施の形態で用いられる。
【００２７】
図５（ｂ）は、店画像情報４４Ｂの構成を示す。店画像情報４４Ｂは、レジ７から受信する、当該店舗の広告画像に関する情報であり、店画像ＩＤ４４Ｂ１及び店画像データ４４Ｂ２を含む。店画像ＩＤ４４Ｂ１は、当該広告画像に固有のＩＤであり、店画像情報４４Ｂを記憶していなければ、ゼロが設定される。店画像データ４４Ｂ２は、当該広告画像のデータであり、電子ペーパ３の表示部３２に表示されるものである。
【００２８】
図５（ｃ）は、マイ画像情報４４Ｃの構成を示す。マイ画像情報４４Ｃは、当該買い物客の意向に応じて予め記憶される、お気に入りの画像に関する情報であり、マイ画像ＩＤ４４Ｃ１及びマイ画像データ４４Ｃ２を含む。マイ画像ＩＤ４４Ｃ１は、当該お気に入りの画像に固有のＩＤであり、マイ画像情報４４Ｃを記憶していなければ、ゼロが設定される。マイ画像データ４４Ｃ２は、当該お気に入りの画像のデータであり、電子ペーパ３の表示部３２に表示されるものである。
【００２９】
図５（ｄ）は、ポイント情報４４Ｄの構成を示す。ポイント情報４４Ｄは、当該買い物客のポイントに関する情報であり、店舗ＩＤ４４Ｄ１及びポイントデータ４４Ｄ２を含む。店舗ＩＤ４４Ｄ１は、店舗に固有のＩＤである。ポイントデータ４４Ｄ２は、店舗ごとに貯まっているポイントを示すデータである。これによれば、店舗ごとにポイントを貯めることにより、各店舗で使うことができる。
【００３０】
図６は、管理サーバ８の記憶部８５に記憶されるデータの構成を示す図である。図６（ａ）は、顧客通過情報８５Ａの構成を示す。顧客通過情報８５Ａは、顧客ＩＤ８５Ａ１、入口ゲート通過フラグ８５Ａ２及びレジ通過フラグ８５Ａ３を含む、店内にいる買い物客の人数分のレコードからなる。顧客ＩＤ８５Ａ１は、買い物客に固有のＩＤである。入口ゲート通過フラグ８５Ａ２は、当該買い物客が入口ゲートＧＴ１を通過したことを示すフラグである。レジ通過フラグ８５Ａ３は、当該買い物客がレジ７を通過したことを示すフラグである。
【００３１】
図６（ｂ）は、店画像情報８５Ｂの構成を示す。店画像情報８５Ｂは、レジ７に送信する、当該店舗の広告画像に関する情報であり、店画像ＩＤ８５Ｂ１及び店画像データ８５Ｂ２を含む。店画像ＩＤ８５Ｂ１は、当該広告画像に固有のＩＤである。店画像データ８５Ｂ２は、当該広告画像のデータであり、電子ペーパ３の表示部３２に表示されるものである。
【００３２】
≪システムの処理≫
図７〜９は、万引き防止システム１の処理を示すフローチャートである。本処理は、ＩＣチップ４、リーダライタ５及び６、レジ７、管理サーバ８において、主として処理部が、通信部によりデータを送受信し、記憶部のデータを参照、更新しながら、万引き防止のための処理を行うものである。なお、買い物客が買い物袋２に自分のお気に入り画像を表示したいという意向がある場合には、予めＩＣチップ４の記憶部４４にマイ画像情報４４Ｃを保存しておくものとする。
【００３３】
図７は、買い物客が入口ゲートＧＴ１を通過する時の万引き防止システム１の処理を示す。入口ゲートＧＴ１に設置されたリーダライタ５は、当該ゲートを通過する買い物袋２のＩＣチップ４が受信できるように、所定の出力により応答要求のメッセージを送信する（Ｓ７０１）。
【００３４】
ＩＣチップ４は、通信部４１によりリーダライタ５からの応答要求のメッセージを受信し（Ｓ７０２）、当該メッセージに対する応答として、記憶部４４から顧客情報４４Ａの顧客ＩＤ４４Ａ１を読み出し、当該顧客ＩＤを通信部４１によりリーダライタ５に送信する（Ｓ７０３）。リーダライタ５は、ＩＣチップ４から顧客ＩＤを受信し（Ｓ７０４）、当該顧客ＩＤを管理サーバ８に送信する（Ｓ７０５）。
【００３５】
管理サーバ８は、通信部８１によりリーダライタ５からの顧客ＩＤを受信し、当該顧客ＩＤ及びオンのフラグを、顧客通過情報８５Ａの顧客ＩＤ８５Ａ１及び入口ゲート通過フラグ８５Ａ２として記憶部８５に記憶する（Ｓ７０６）。このとき、当該レコードのレジ通過フラグ８５Ａ３はオフにする。そして、電子ペーパ３に表示されている画像を消去する命令（画像消去命令）のメッセージをリーダライタ５に送信する（Ｓ７０７）。リーダライタ５は、管理サーバ８から画像消去命令のメッセージを受信し（Ｓ７０８）、当該メッセージを無線信号によりＩＣチップ４に送信する（Ｓ７０９）。
【００３６】
買い物袋２のＩＣチップ４は、リーダライタ５から画像消去命令のメッセージを受信し（Ｓ７１０）、電子ペーパ３の表示部３２に表示された画像を消去する（Ｓ７１１）。詳細には、電子ペーパ３の受信部３１に画像消去命令を送信し、受信部３１が受信した画像消去命令に従って、表示部３２の画像を消去し、透明又は半透明の状態にする。これにより、買い物袋２の中が外部から視認できるようになり、買い物袋２による万引きを防止する効果を奏する。そして、ＩＣチップ４は、画像消去済のメッセージをリーダライタ５に送信する（Ｓ７１２）。
【００３７】
リーダライタ５は、ＩＣチップ４から画像消去済のメッセージを受信すると（Ｓ７１３）、予め記憶している店舗ＩＤ及びポイントデータを含むポイント情報を読み出し、当該ポイント情報をＩＣチップ４に送信する（Ｓ７１４）。これは、顧客が来店（来場）しただけであっても、マイバッグの透明化、すなわち、万引きの防止に協力してくれたことに対するインセンティブとして、当該店舗のポイントを付与するものである。ＩＣチップ４は、リーダライタ５からポイント情報を受信し、記憶部４４のポイント情報４４Ｄのうち、該当する店舗ＩＤ４４Ｄ１に対応するポイントデータ４４Ｄ２に対して、受信したポイント情報に含まれるポイントデータの値を加算する（Ｓ７１５）。
【００３８】
図８は、買い物客がレジ７を通過する時の万引き防止システム１の処理を示す。レジ７は、当該レジ７の前を通過する買い物袋２のＩＣチップ４が受信できるように、所定の出力により応答要求のメッセージを送信する（Ｓ８０１）。
【００３９】
ＩＣチップ４は、通信部４１によりレジ７からの応答要求のメッセージを受信し（Ｓ８０２）、当該メッセージに対する応答として、記憶部４４から顧客情報４４Ａの顧客ＩＤ４４Ａ１を読み出し、当該顧客ＩＤを通信部４１によりレジ７に送信する（Ｓ８０３）。レジ７は、ＩＣチップ４から顧客ＩＤを受信し（Ｓ８０４）、当該顧客ＩＤを管理サーバ８に送信する（Ｓ８０５）。
【００４０】
管理サーバ８は、通信部８１によりレジ７からの顧客ＩＤを受信し、記憶部８５の顧客通過情報８５Ａのうち、該当する顧客ＩＤ８５Ａ１に対応するレジ通過フラグ８５Ａ３をオンに設定する（Ｓ８０６）。そして、記憶部８５から店画像情報８５Ｂを読み出し、当該店画像情報をレジ７に送信する（Ｓ８０７）。レジ７は、管理サーバ８から店画像情報を受信し（Ｓ８０８）、当該店画像情報をＩＣチップ４に送信する（Ｓ８０９）。
【００４１】
ＩＣチップ４は、レジ７から店画像情報を受信すると（Ｓ８１０）、記憶部４４のマイ画像ＩＤ４４Ｃ１がゼロでないか否かにより、マイ画像情報４４Ｃを記憶しているか否かを判定する（Ｓ８１１）。マイ画像情報４４Ｃを記憶していなければ（Ｓ８１１のＮ）、受信した店画像情報を店画像情報４４Ｂとして記憶部４４に記憶する（Ｓ８１２）。マイ画像情報４４Ｃを記憶していれば（Ｓ８１１のＹ）、「買い物袋２に店の広告は表示せず、自分のお気に入りの画像を表示する」という買い物客の意向を示すので、Ｓ８１２の処理をスキップする。
【００４２】
図９は、買い物客が出口ゲートＧＴ２を通過する時の万引き防止システム１の処理を示す。出口ゲートＧＴ２に設置されたリーダライタ６は、当該ゲートを通過する買い物袋２のＩＣチップ４が受信できるように、所定の出力により応答要求のメッセージを送信する（Ｓ９０１）。
【００４３】
ＩＣチップ４は、通信部４１によりリーダライタ６からの応答要求のメッセージを受信し（Ｓ９０２）、当該メッセージに対する応答として、記憶部４４から顧客情報４４Ａの顧客ＩＤ４４Ａ１を読み出し、当該顧客ＩＤを通信部４１によりリーダライタ６に送信する（Ｓ９０３）。リーダライタ６は、ＩＣチップ４から顧客ＩＤを受信し（Ｓ９０４）、当該顧客ＩＤを管理サーバ８に送信する（Ｓ９０５）。
【００４４】
管理サーバ８は、リーダライタ６から顧客ＩＤを受信し、記憶部８５の顧客通過情報８５Ａのうち、該当する顧客ＩＤ８５Ａ１に対応する入口ゲート通過フラグ８５Ａ２及びレジ通過フラグ８５Ａ３をチェックする（Ｓ９０６）。そして、２つのフラグの両方がオンではない、例えば、当該買い物客が入口ゲートＧＴ１を通過し、レジ７を通過していなければ（Ｓ９０７のＮ）、万引きの可能性が考えられるので、その旨の警報を示す音や光を発して、店の担当者に通知する（Ｓ９０８）。詳細には、管理サーバ８が警報信号を警報装置に送信し、警報信号を受信した警報装置が警報音等を発する。これにより、入口ゲートＧＴ１通過時における電子ペーパ３の透明化と併せて、２重の対策で万引き防止を図ることができる。
【００４５】
一方、２つのフラグの両方がオンである、すなわち、当該買い物客が入口ゲートＧＴ１及びレジ７をともに通過していれば（Ｓ９０７のＹ）、来店した後、レジ７で買い物の精算をしており、問題ないので、透明又は半透明になっている買い物袋２に画像を表示する命令（画像表示命令）のメッセージをリーダライタ６に送信する（Ｓ９０９）。なお、買い物客が店外に出ることになるので、記憶部８５の顧客通過情報８５Ａから当該顧客ＩＤ８５Ａ１のレコードを削除するようにしてもよい。
【００４６】
リーダライタ６は、管理サーバ８から画像表示命令のメッセージを受信し（Ｓ９１０）、当該メッセージを無線信号によりＩＣチップ４に送信する（Ｓ９１１）。
【００４７】
買い物袋２のＩＣチップ４は、リーダライタ６から画像表示命令のメッセージを受信すると（Ｓ９１２）、記憶部４４の店画像ＩＤ４４Ｂ１がゼロでないか否かにより、店画像情報４４Ｂを記憶しているか否かを判定する（Ｓ９１３）。店画像情報４４Ｂを記憶していれば（Ｓ９１３のＹ）、記憶部４４から店画像データ４４Ｂ２を読み出し、当該店画像データを電子ペーパ３の受信部３１に送信することにより、電子ペーパ３の表示部３２に店の広告画像を表示させる（Ｓ９１４）。買い物袋２に店の広告画像が表示されることにより、買い物袋２の中が外部から視認できないので、店外に出る買い物客が不快に感じないようにするとともに、買い物袋２に店の宣伝効果を持たせることができる。
【００４８】
続いて、ＩＣチップ４は、記憶部４４の店画像ＩＤ４４Ｂ１を消去する（Ｓ９１５）。これにより、ＩＣチップ４から店画像情報を消去したことになる。そして、店画像表示済のメッセージをリーダライタ６に送信する（Ｓ９１６）。リーダライタ６は、ＩＣチップ４から店画像表示済のメッセージを受信すると（Ｓ９１７）、予め記憶している店舗ＩＤ及びポイントデータを含むポイント情報を読み出し、当該ポイント情報をＩＣチップ４に送信する（Ｓ９１８）。これは、顧客が買い物袋２に店の広告画像を表示してくれたことに対するインセンティブとして、当該店舗のポイントを付与するものである。ＩＣチップ４は、リーダライタ６からポイント情報を受信し、記憶部４４のポイント情報４４Ｄのうち、該当する店舗ＩＤ４４Ｄ１に対応するポイントデータ４４Ｄ２に対して、受信したポイント情報に含まれるポイントデータの値を加算する（Ｓ９１９）。
【００４９】
ＩＣチップ４は、Ｓ９１３において記憶部４４に店画像情報４４Ｂを記憶していなければ（Ｓ９１３のＮ）、記憶部４４からマイ画像データ４４Ｃ２を読み出し、当該マイ画像データを電子ペーパ３の受信部３１に送信することにより、電子ペーパ３の表示部３２にマイ画像を表示させる（Ｓ９２０）。買い物袋２にお気に入りの画像が表示されることにより、買い物袋２の中が外部から視認できないので、店外に出る買い物客が不快に感じないようにすることができる。
【００５０】
＜＜第２の実施の形態＞＞
第２の実施の形態は、管理サーバ８を設けずに万引き防止システムを実現するものである。そのために、第１の実施の形態における管理サーバ８の記憶部８５に記憶されたデータのうち、顧客通過情報８５ＡをＩＣチップ４の記憶部４４に記憶し、店画像情報８５Ｂをレジ７に記憶する。各処理の詳細については、図７〜９を用いて、第１の実施の形態との相違点を説明する。
【００５１】
まず、買い物客の入口ゲートＧＴ１通過時に、図７に示すＳ７０１〜Ｓ７０３の処理が行われた後、リーダライタ５は、ＩＣチップ４から顧客ＩＤを受信すると（Ｓ７０４）、オンに設定した入口ゲート通過フラグをＩＣチップ４に送信し、ＩＣチップ４は、受信した入口ゲート通過フラグを顧客情報４４Ａの入口ゲート通過フラグ４４Ａ２として記憶部４４に記憶する。そして、リーダライタ５は、画像消去命令をＩＣチップ４に送信し（Ｓ７０９）、Ｓ７１０〜Ｓ７１５の処理が行われる。なお、Ｓ７０５〜Ｓ７０８の処理は行わない。
【００５２】
次に、買い物客のレジ７通過時に、図８に示すＳ８０１〜Ｓ８０３の処理が行われた後、レジ７は、ＩＣチップ４から顧客ＩＤを受信すると（Ｓ８０４）、オンに設定したレジ通過フラグをＩＣチップ４に送信し、ＩＣチップ４は、受信したレジ通過フラグを顧客情報４４Ａのレジ通過フラグ４４Ａ３として記憶部４４に記憶する。そして、リーダライタ５は、記憶している店画像情報をＩＣチップ４に送信し（Ｓ８０９）、Ｓ８１０〜Ｓ８１２の処理が行われる。なお、Ｓ８０５〜Ｓ８０８の処理は行わない。
【００５３】
そして、買い物客の出口ゲートＧＴ２通過時に、図９に示すＳ９０１〜Ｓ９０３の処理が行われた後、リーダライタ６は、ＩＣチップ４から顧客ＩＤを受信すると（Ｓ９０４）、ＩＣチップ４に要求して入口ゲート通過フラグ及びレジ通過フラグを取得し、両方のフラグがオンか否かを判定する。両方のフラグがオンの場合、買い物客が入口ゲートＧＴ１及びレジ７ともに通過したということであり、問題ないので、画像表示命令をＩＣチップ４に送信し（Ｓ９１１）、Ｓ９１２〜Ｓ９２０の処理が行われる。両方のフラグともオンではない場合、万引きの可能性があることから、その旨の警報を示す音や光を発する。なお、Ｓ９０５〜Ｓ９１０の処理は行わない。
【００５４】
なお、上記実施の形態では、図１に示す万引き防止システム１の各装置（ＩＣチップ４、リーダライタ５及び６、レジ７及び管理サーバ８）を機能させるために、各処理部（ＣＰＵ）で実行されるプログラムをコンピュータにより読み取り可能な記録媒体に記録し、その記録したプログラムをコンピュータに読み込ませ、実行させることにより、本発明の実施の形態に係る万引き防止システム１が実現されるものとする。この場合、プログラムをインターネット等のネットワーク経由でコンピュータに提供してもよいし、プログラムが書き込まれた半導体チップ等をコンピュータに組み込んでもよい。
【００５５】
以上説明した本発明の実施の形態によれば、電子ペーパ３が透明になると外部から中身が視認可能になる買い物袋２を顧客に持たせて、店舗の入口で電子ペーパ３を透明にすることにより、買い物袋２による万引き犯罪を防止することができる。次に、買い物袋２の透明化に協力してくれた顧客にインセンティブを付与することにより、マイバックの普及促進を図ることができる。そして、店舗の出口で電子ペーパ３に画像が表示され、店外に出るときに買い物袋２の中が見えなくなるので、顧客を不快にせずに済む。さらに、買い物袋２にＩＣチップ４を設けることにより、インセンティブの一環として、店舗ごとのポイントを貯めることができるようになり、ポイントカードの代わりになる。
【００５６】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００５７】
（１）万引き防止のため、レジ７を通過した時に「精算済」という字も併せて電子ペーパ３に表示し、出口ゲートＧＴ１を通過した時に電子ペーパ３の「精算済」という字を消去することにより、レジ７の精算が済んでいるか否かを容易に判断することができる。一方、出口ゲートＧＴ２を通過した後にＩＣチップ４の画像が電子ペーパ３に表示されることになるので、画像とともに「精算済」を表示する。これにより、店外において、買い物袋２の中に何か物が入っており、かつ、「精算済」と表示されていなければ、万引きと判断して警報を出すこともできる。また、監視カメラで買い物袋２の外観を撮影し、その撮影したデータに対して画像処理を行い、その結果に応じて警報を出すことも可能である。なお、店の広告画像情報を持たない店舗もあるので、買い物袋２のＩＣチップ４にマイ画像情報がなくても、何らかの画像情報を提供するものとする。
【００５８】
（２）上記の実施の形態において、出口ゲートＧＴ２を通過した時に、買い物袋２の電子ペーパ３にマイ画像が表示されることがあるが、この場合、来店後レジ７を通過しなくても、ＩＣチップ４にマイ画像が記憶されていれば、そのマイ画像を表示することができる。なお、来店後レジ７を通過せず、かつ、ＩＣチップ４にマイ画像が保存されていなければ、ＩＣチップ４に画像情報が記憶されていないので、出口ゲートＧＴ２を通過しても電子ペーパ３は無画像状態（透明又は半透明）のままになる。
【００５９】
（３）入口ゲートＧＴ１と、出口ゲートＧＴ２とが共用になっている場合、２台のリーダライタＩ及びＩＩをそれぞれ店外側及び店内側に設置する。そして、リーダライタＩ→ＩＩの順にＩＣチップ４の顧客ＩＤを受信した場合には、来店したと判断する。一方、リーダライタＩＩ→Ｉの順にＩＣチップ４の顧客ＩＤを受信した場合には、来店したと判断する。
【００６０】
（４）ＩＣチップ４を介することなく、リーダライタ５及び６、レジ７から電子ペーパ３の受信部３１に対して、画像情報を直接送信して表示部３２に画像を表示させたり、画像消去命令を直接送信して表示部３２から画像を消去させたりしてもよい。また、リーダライタ５及び６、レジ７が電子ペーパ３から画像消去済のメッセージ等を直接受信するようにしてもよい。
【００６１】
（５）上記実施の形態では電子ペーパ３が買い物袋２の少なくとも一部を構成するように記載したが、買い物袋を少なくとも一部が透明なものにし、その透明な面に電子ペーパ３を貼り付けるようにしてもよい。また、全体が透明な買い物袋の外面に電子ペーパ３を貼り付けるようにしてもよい。
【符号の説明】
【００６２】
１    万引き防止システム
２    買い物袋
３    電子ペーパ
４    ＩＣチップ
４３    処理部
４４    記憶部
４４Ａ  顧客情報
４４Ａ１  顧客ＩＤ
４４Ａ２  入口ゲート通過フラグ
４４Ａ３  レジ通過フラグ（レジ通過情報）
５    リーダライタ（第１無線装置）
６    リーダライタ（第２無線装置）
７    レジ（第３無線装置）
８    管理サーバ（サーバ）
８４    処理部
８５    記憶部
８５Ａ  顧客通過情報
８５Ａ１  顧客ＩＤ
８５Ａ２  入口ゲート通過フラグ
８５Ａ３  レジ通過フラグ（レジ通過情報）
８５Ｂ  店画像情報
【図１】
2011191929.tif 000003
【図２】
2011191929.tif 000004
【図３】
2011191929.tif 000005
【図４】
2011191929.tif 000006
【図５】
2011191929.tif 000007
【図６】
2011191929.tif 000008
【図７】
2011191929.tif 000009
【図８】
2011191929.tif 000010
【図９】
2011191929.tif 000011